(57)【要約】  通信ネットワークは、ＶＬＡＮの設定が可能な通信制御装置（Ｌ２スイッチ）と、通信制御装置によって設定された、被監視者監視支援システムの通信に割り当てられた第１のＶＬＡＮと、通信制御装置によって設定された、被監視者監視支援システムと別のシステムの通信に割り当てられた第２のＶＬＡＮと、を備え、通信制御装置は、第１のＶＬＡＮと第２のＶＬＡＮとにおいて、一方が他方よりも通信を優先させる設定が可能である。
2020031658.tif 000002
【特許請求の範囲】
【請求項１】
複数の被監視者のそれぞれに割り当てられ、割り当てられた被監視者について、所定のイベントが発生したことを検知する複数のセンサ装置と、複数の監視者がそれぞれ携行する複数の端末装置と、前記複数のセンサ装置および前記複数の端末装置と通信可能なサーバ装置と、を備える被監視者監視支援システムの通信に使用される通信ネットワークであって、
ＶＬＡＮの設定が可能な通信制御装置と、
前記通信制御装置によって設定された、前記被監視者監視支援システムの通信に割り当てられた第１のＶＬＡＮと、
前記通信制御装置によって設定された、前記被監視者監視支援システムと別のシステムの通信に割り当てられた第２のＶＬＡＮと、を備え、
前記通信制御装置は、前記第１のＶＬＡＮと前記第２のＶＬＡＮとにおいて、一方が他方よりも通信を優先させる設定が可能である、通信ネットワーク。
【請求項２】
前記通信制御装置は、前記第２のＶＬＡＮの通信を前記第１のＶＬＡＮの通信よりも優先させる設定の状態で、前記第１のＶＬＡＮで通信されるデータの種類が予め定められた第１の種類のとき、前記第２のＶＬＡＮの通信を前記第１のＶＬＡＮの通信よりも優先させ、前記第１のＶＬＡＮで通信されるデータの種類が前記第１の種類よりもデータ量が少ない予め定められた第２の種類のとき、前記第１のＶＬＡＮの通信を前記第２のＶＬＡＮの通信よりも優先させる、請求項１に記載の通信ネットワーク。
【請求項３】
前記第２の種類のデータは、前記複数の被監視者のうち、ナースコールをした被監視者の氏名および居室番号を示すテキストを含む、請求項２に記載の通信ネットワーク。
【請求項４】
前記複数のセンサ装置は、それぞれ、割り当てられた前記被監視者の動画を撮影し、前記動画を基にして、割り当てられた前記被監視者が転倒したことを検知し、
転倒を検知された前記被監視者の氏名および居室番号を示すテキストは、前記第１のＶＬＡＮを用いて、転倒を検知した前記センサ装置から前記サーバ装置を経由して前記複数の端末装置に送られ、
前記複数のセンサ装置がそれぞれ撮影した前記動画は、前記第１のＶＬＡＮを用いて、前記サーバ装置に送られ、
前記第１の種類のデータは、前記複数のセンサ装置がそれぞれ撮影した前記動画を含み、
前記第２の種類のデータは、転倒を検知された前記被監視者の氏名および居室番号を示すテキストを含む、請求項２または３に記載の通信ネットワーク。
【発明の詳細な説明】
【技術分野】
【０００１】
本発明は、被監視者監視支援システムの通信に使用される通信ネットワークに関する。
【背景技術】
【０００２】
近年、超高齢社会の突入に伴って、看護業界、介護業界等の業務を補完する技術の研究、開発が進められている。このような技術の一つとして、被監視者（例えば、介護施設に入居している被介護者）に所定のイベント（例えば、転倒）が発生したか否かを監視し、所定のイベントが発生した場合、監視者（例えば、介護士）に通知する被監視者監視支援技術がある。監視者は、通知を受けたとき、被監視者のもとに駆け付け、発生したイベントに対応する。この被監視者監視支援技術によれば、監視者は、被監視者を常に見守る必要がないので、監視者の負担を軽減できると共に、監視者の人手不足に対応することができる。【０００３】
例えば、特許文献１は、被監視者監視支援技術として、ナースコールシステムを開示している。このナースコールシステムによれば、携帯端末が所属しているグループのナースコール子機やナースコール親機との通信だけでなく、他のグループのナースコール子機やナースコール親機との通信を簡易な操作で実施できる。【０００４】
ある施設に被監視者監視支援システムが既に導入された状態で、その施設に別のシステムが新たに導入されることがあり、また、これと逆のことがある。これらのシステムのそれぞれの通信にＶＬＡＮ（Ｖｉｒｔｕａｌ Ｌｏｃａｌ Ａｒｅａ Ｎｅｔｗｏｒｋ）が採用されることがある。ＶＬＡＮは、既存の物理ネットワークを利用できるので、導入コストを下げることができる。【０００５】
ＶＬＡＮは物理ネットワークを共用する。このため、被監視者監視支援システムの通信に割り当てられたＶＬＡＮと、このシステムとは別のシステムに割り当てられたＶＬＡＮとが設定されているとき、被監視者監視支援システムの通信によって別のシステムの通信に予期せぬ支障が生じたり、別のシステムの通信によって被監視者監視支援システムの通信に予期せぬ支障が生じたりすることある。
【先行技術文献】
【特許文献】
【０００６】
【特許文献１】特開２０１５−６１２２７号公報
【発明の概要】
【０００７】
本発明の目的は、被監視者監視支援システムの通信に割り当てられたＶＬＡＮと、このシステムとは別のシステムに割り当てられたＶＬＡＮとを適切に運用することができる通信ネットワークを提供することである。
【０００８】
上述した目的を実現するために、本発明の一側面を反映した通信ネットワークは、複数の被監視者のそれぞれに割り当てられ、割り当てられた被監視者について、所定のイベントが発生したことを検知する複数のセンサ装置と、複数の監視者がそれぞれ携行する複数の端末装置と、前記複数のセンサ装置および前記複数の端末装置と通信可能なサーバ装置と、を備える被監視者監視支援システムの通信に使用される通信ネットワークであって、ＶＬＡＮの設定が可能な通信制御装置と、前記通信制御装置によって設定された、前記被監視者監視支援システムの通信に割り当てられた第１のＶＬＡＮと、前記通信制御装置によって設定された、前記被監視者監視支援システムと別のシステムの通信に割り当てられた第２のＶＬＡＮと、を備え、前記通信制御装置は、前記第１のＶＬＡＮと前記第２のＶＬＡＮとにおいて、一方が他方よりも通信を優先させる設定が可能である。
【０００９】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１０】
【図１】実施形態に係る通信システムの構成を説明する説明図である。
【図２】優先制御の設定画面の例を説明する説明図である。
【図３】Ｌ２スイッチの機能ブロック図である。
【図４】第２のＶＬＡＮの通信に優先制御が設定されている場合に、Ｌ２スイッチの動作を説明するフローチャートである。
【発明を実施するための形態】
【００１１】
以下、図面を参照して、本発明の１又は複数の実施形態が説明される。しかし、発明の範囲は、開示された実施形態に限定されない。
【００１２】
各図において、同一符号を付した構成は、同一の構成であることを示し、その構成について、既に説明している内容については、その説明を省略する。本明細書において、総称する場合には添え字を省略した参照符号で示し（例えば、センサ装置ＳＵ）、個別の構成を指す場合には添え字を付した参照符号で示す（例えば、センサ装置ＳＵ−１）。
【００１３】
実施形態に係る被監視者監視支援システムは、監視すべき監視対象である被監視者（言い換えれば、見守るべき見守り対象である見守り対象者）を複数の装置を用いて監視するシステムであり、端末装置と、前記端末装置と通信可能に接続され、被監視者に関わる所定のイベント（事象）を検知して前記イベントを前記端末装置へ通知する被監視者監視支援装置と、を備える。前記被監視者監視支援装置は、１個の装置で一体に構成されて良いが、本明細書では、被監視者監視支援装置は、センサ装置と、前記センサ装置及び前記端末装置それぞれと通信可能に接続される管理サーバ装置とを備えることで、２種類の各装置で別体に構成される。前記センサ装置は、被監視者に関わる前記所定のイベントを検知して前記管理サーバ装置へ通知（報知、送信）する。前記管理サーバ装置は、前記センサ装置から前記通知を受けると、前記通知を受けた前記イベントを管理するとともに前記イベントを前記センサ装置に対応付けられた所定の端末装置へ再通知（再報知、再送信）する。前記端末装置は、１種類の装置であって良いが、本明細書では、前記端末装置は、固定端末装置と携帯端末装置との２種類の装置である。これら固定端末装置と携帯端末装置との主な相違は、固定端末装置が固定的に運用され、携帯端末装置が例えば看護師や介護士等の監視者（ユーザ）に携行されて運用される点である。これら固定端末装置と携帯端末装置とは、略同様であるので、以下では、携帯端末装置を主に説明する。
【００１４】
図１は、実施形態に係る通信システムの構成を説明する説明図である。この通信システムは、Ｌ２スイッチＬＳと、第１のＶＬＡＮと、第２のＶＬＡＮと、を備え、被監視者監視支援システムＭＳの通信、および、このシステムとは別のシステムＡＳの通信にそれぞれ使用される。
【００１５】
被監視者監視支援システムＭＳは、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  Ｂｒａｎｃｈ  ｅＸｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷには、通信信号を中継する例えばリピーター、ブリッジ及びルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２及び構内交換機ＣＸは、Ｌ２スイッチＬＳ及びアクセスポイントＡＰを含む有線及び無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰ及び構内交換機ＣＸは、Ｌ２スイッチＬＳに接続され、複数の携帯端末装置ＴＡ−１、ＴＡ−２は、アクセスポイントＡＰを介してＬ２スイッチＬＳに接続されている。そして、ネットワークＮＷは、ＴＣＰ（Ｔｒａｎｓｉｍｉｓｓｉｏｎ  Ｃｏｎｔｒｏｌ  Ｐｒｏｔｏｃｏｌ）及びＩＰ（Ｉｎｔｅｒｎｅｔ  Ｐｒｏｔｏｃｏｌ）等のインターネットプロトコル群が用いられることによっていわゆるイントラネットを構成する。構内交換機ＣＸは、公衆電話網ＰＮによって電話ＴＬと接続されている。
【００１６】
被監視者監視支援システムＭＳは、被監視者Ｏｂに応じて適宜な場所に配設される。被監視者Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合なイベントがその者に生じた場合にその発見を必要としている者であることが好ましい。このため、被監視者監視支援システムＭＳは、被監視者Ｏｂの種類に応じて、病院、老人福祉施設及び住戸等の建物に好適に配設される。図１に示す例では、被監視者監視支援システムＭＳは、複数の被監視者Ｏｂが入居する複数の居室ＲＭや、ナースステーション等の複数の部屋を備える介護施設の建物に配設されている。
【００１７】
センサ装置ＳＵは、ネットワークＮＷを介して他の装置ＳＶ、ＳＰ、ＴＡと通信する通信機能等を備え、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信する装置である。前記所定のイベントは、好ましくは、対処が必要なイベントを含む。
【００１８】
イベントの検知方法の一例として、動画を用いる方法がある。センサ装置ＳＵは、被監視者Ｏｂの動画を撮影し、この動画を基にして、被監視者Ｏｂに所定のイベント（例えば、起床、離床、転倒）が発生したことを検知する。詳しくは、センサ装置ＳＵは、被監視者Ｏｂを撮影した動画の各フレームから被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて、起床、離床および転倒の別を判定する。
【００１９】
図１には、一例として、４個のセンサ装置ＳＵ−１〜ＳＵ−４が示されており、センサ装置ＳＵ−１は、被監視者Ｏｂの一人であるＡさんＯｂ−１の居室ＲＭ−１に配設され、センサ装置ＳＵ−２は、被監視者Ｏｂの一人であるＢさんＯｂ−２の居室ＲＭ−２に配設され、センサ装置ＳＵ−３は、被監視者Ｏｂの一人であるＣさんＯｂ−３の居室ＲＭ−３に配設され、そして、センサ装置ＳＵ−４は、被監視者Ｏｂの一人であるＤさんＯｂ−４の居室ＲＭ−４に配設されている。
【００２０】
管理サーバ装置ＳＶは、ネットワークＮＷを介して他の装置ＳＵ、ＳＰ、ＴＡと通信する通信機能等を備え、センサ装置ＳＵから、被監視者Ｏｂに関わる所定のイベントの通知を受信すると被監視者Ｏｂに対する監視に関する情報（監視情報）を管理する装置である。管理サーバ装置ＳＶは、センサ装置ＳＵから前記イベントの通知として第１イベント通知通信信号を受信すると、前記第１イベント通知通信信号に収容された各情報に基づいて、被監視者Ｏｂに対する監視に関する前記監視情報を記憶（記録）し、そして、被監視者Ｏｂに対する監視に関する前記監視情報を収容した通信信号（第２イベント通知通信信号）を、前記センサ装置ＳＵに予め対応付けられた所定の端末装置ＳＰ、ＴＡに送信する。このために、管理サーバ装置ＳＶは、センサ装置ＳＵから送信された第１イベント通知通信信号等の通知先（再通知先、再報知先、送信先）を示す、送信元であるセンサＩＤと通知先（再通知先）である端末ＩＤとの対応関係（通知先対応関係）、及び、その通信アドレスを記憶する。端末ＩＤ（端末装置識別子）は、端末装置ＳＰ、ＴＡを特定し識別するための識別子である。そして、管理サーバ装置ＳＶは、クライアント（本実施形態では固定端末装置ＳＰ及び携帯端末装置ＴＡ等）の要求に応じたデータを前記クライアントに提供する。このような管理サーバ装置ＳＶは、例えば、通信機能付きのコンピュータによって構成可能である。
【００２１】
固定端末装置ＳＰは、被監視者監視支援システムＭＳのユーザインターフェース（ＵＩ）として機能する装置である。この機能を達成するために、固定端末装置ＳＰは、ネットワークＮＷを介して他の装置ＳＵ、ＳＶ、ＴＡと通信する通信機能、所定の情報を表示する表示機能、及び、所定の指示及びデータを入力する入力機能等を備え、管理サーバ装置ＳＶ及び携帯端末装置ＴＡに与える所定の指示及びデータが入力されたり、センサ装置ＳＵで得られた監視情報を表示したりする。このような固定端末装置ＳＰは、例えば、通信機能付きのコンピュータによって構成可能である。
【００２２】
携帯端末装置ＴＡは、監視者ＮＳが携帯している。携帯端末装置ＴＡは、ネットワークＮＷを介して他の装置ＳＶ、ＳＰ、ＳＵと通信する通信機能、所定の情報を表示する表示機能、所定の指示やデータを入力する入力機能、及び、音声通話を行う通話機能等を備え、管理サーバ装置ＳＶ及びセンサ装置ＳＵに与える所定の指示及びデータを入力したり、管理サーバ装置ＳＶからの通知によってセンサ装置ＳＵで得られた監視情報（動画を含む）を表示したり、センサ装置ＳＵとの間で音声通話によってナースコールの応答や声かけしたり等をするための機器である。
【００２３】
別のシステムＡＳは、例えば、被監視者監視支援システムＭＳを導入している介護施設の見学を予約するシステム、この介護施設の経理部のシステムである。別のシステムＡＳは、このシステムに用いられるサーバＳＶ１と、サーバＳＶ１にアクセス可能な１又は複数のパソコンＰＣ１と、備える。これらは、Ｌ２スイッチＬＳに接続されている。
【００２４】
管理者用パソコンＰＣ２は、被監視者監視支援システムＭＳと別のシステムＡＳとを管理する管理者が使用するパソコンである。管理者用パソコンＰＣ２は、Ｌ２スイッチＬＳに接続されている。
【００２５】
Ｌ２スイッチＬＳは、ＶＬＡＮの設定が可能な通信制御装置の例である。ＶＬＡＮの設定には、管理者用パソコンＰＣ２が用いられる。Ｌ２スイッチＬＳによって、物理ネットワークであるネットワークＮＷに、第１のＶＬＡＮと第２のＶＬＡＮとが設定されている。第１のＶＬＡＮは、被監視者監視支援システムＭＳの通信に割り当てられたＶＬＡＮである。第１のＶＬＡＮによって、センサ装置ＳＵと、管理サーバ装置ＳＶと、固定端末装置ＳＰと、構内交換機ＣＸと、アクセスポイントＡＰとが仮想的に接続されている。
【００２６】
第２のＶＬＡＮは、別のシステムＡＳの通信に割り当てられたＶＬＡＮである。第２のＶＬＡＮによって、パソコンＰＣ１と、サーバＳＶ１と、構内交換機ＣＸとが仮想的に接続されている。実施形態では、ＶＬＡＮの設定が可能な通信制御装置として、Ｌ２スイッチＬＳを用いるが、通信制御部としてＬ３スイッチを用いてもよい。また、実施形態では、別のシステムＡＳは１つであるが、別のシステムＡＳが複数でもよい。この場合、これらのシステムにそれぞれ、ＶＬＡＮが設定される。
【００２７】
ＶＬＡＮによれば、既存のシステムの通信ネットワークが構築された状態で新たなシステムの通信ネットワークを構築する場合、既存のシステムの通信ネットワークに用いられる物理ネットワークを用いて、新たなシステムの通信ネットワークを構築することができる。具体的に説明する。別のシステムＡＳの通信ネットワークが構築されており、被監視者監視支援システムＭＳの通信ネットワークが新たに構築されるとする。Ｌ２スイッチＬＳおよび構内交換機ＣＸ等から構成される物理ネットワークが既に存在している。被監視者監視支援システムＭＳの通信に使用される機器（センサ装置ＳＵ、管理サーバ装置ＳＶ、固定端末装置ＳＰ、アクセスポイントＡＰ）を、Ｌ２スイッチＬＳに接続することにより、被監視者監視支援システムＭＳの通信ネットワークを構築することができる。
【００２８】
Ｌ２スイッチＬＳは、第１のＶＬＡＮと第２のＶＬＡＮとにおいて、一方が他方よりも通信を優先させる設定が可能である。詳しく説明する。これは、例えば、ＱｏＳ（Ｑｕａｌｉｔｙ  ｏｆ  Ｓｅｒｖｉｃｅ）の優先制御によって実現することができる。優先制御の設定には、管理者用パソコンＰＣ２が用いられる。図２は、優先制御の設定画面１０の例を説明する説明図である。設定画面１０は、管理者用パソコンＰＣ２のディスプレイに表示され、ラジオボタン１１，１２を含む。
【００２９】
ラジオボタン１１は、被監視者監視支援システムＭＳの通信に割り当てられたＶＬＡＮ（第１のＶＬＡＮ）に対応している。第１のＶＬＡＮの通信を優先制御するとき、管理者は、管理者用パソコンＰＣ２を操作して、ラジオボタン１１にチェックを入れる。これにより、Ｌ２スイッチＬＳにおいて、第１のＶＬＡＮの通信を優先制御する設定がされる。この設定により、第１のＶＬＡＮの通信が第２のＶＬＡＮの通信よりも優先されるので、被監視者監視支援システムＭＳの通信が別のシステムＡＳの通信よりも優先させることができる。別のシステムＡＳの通信に即時性が要求されない場合、第１のＶＬＡＮの通信を優先制御する設定がされる。
【００３０】
ラジオボタン１２は、別のシステムＡＳの通信に割り当てられたＶＬＡＮ（第２のＶＬＡＮ）に対応している。第２のＶＬＡＮの通信を優先制御するとき、管理者は、管理者用パソコンＰＣ２を操作して、ラジオボタン１２にチェックを入れる。これにより、Ｌ２スイッチＬＳにおいて、第２のＶＬＡＮの通信を優先制御する設定がされる。この設定により、第２のＶＬＡＮの通信が第１のＶＬＡＮの通信よりも優先されるので、別のシステムＡＳの通信が被監視者監視支援システムＭＳの通信よりも優先させることができる。別のシステムＡＳの通信に即時性が要求される場合、第２のＶＬＡＮの通信を優先制御する設定がされる。
【００３１】
ラジオボタン１１またはラジオボタン１２にチェックが入れられていないとき、Ｌ２スイッチＬＳには優先制御の設定がされない。
【００３２】
図３は、Ｌ２スイッチＬＳの機能ブロック図である。Ｌ２スイッチＬＳは、複数のポート２０と、キュー２１と、ＭＡＣアドレステーブル２２と、スイッチ制御部２３と、を備える。
【００３３】
ポート２０は、Ｌ２スイッチＬＳの外部の機器と接続可能な入出力端子である。
【００３４】
キュー２１、ＭＡＣアドレステーブル２２およびスイッチ制御部２３は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、および、ＨＤＤ（Ｈａｒｄ  Ｄｉｓｋ  Ｄｒｉｖｅ）等のハードウェアプロセッサ、並びに、これらの機能を実行するためのプログラム等によって実現される。キュー２１、ＭＡＣアドレステーブル２２およびスイッチ制御部２３の機能の一部又は全部は、ＣＰＵによる処理に替えて、又は、これと共に、ＤＳＰ（Ｄｉｇｉｔａｌ  Ｓｉｇｎａｌ  Ｐｒｏｃｅｓｓｏｒ）による処理によって実現されてもよい。又、キュー２１、ＭＡＣアドレステーブル２２およびスイッチ制御部２３の機能の一部又は全部は、ソフトウェアによる処理に替えて、又は、これと共に、専用のハードウェア回路による処理によって実現されてもよい。
【００３５】
複数のポート２０のそれぞれと、ネットワークＮＷを用いて通信する機器（センサ装置ＳＵ、管理サーバ装置ＳＶ、固定端末装置ＳＰ、構内交換機ＣＸ、アクセスポイントＡＰ、パソコンＰＣ１、サーバＳＶ１、管理者用パソコンＰＣ２）とは、ＬＡＮケーブルによって接続されている。
【００３６】
キュー２１は、各ポート２０に入出力するデータ（パケット）を一時的に保持する。
【００３７】
ＭＡＣアドレステーブル２２は、複数のポート２０のそれぞれのポート２０の番号と、ネットワークＮＷを用いて通信する機器のＭＡＣアドレスとを対応付けて記憶している。具体的に説明すると、センサ装置ＳＵ−１と接続されているポート２０の番号が１とする。ＭＡＣアドレステーブル２２は、センサ装置ＳＵ−１のＭＡＣアドレスと番号１とを対応付けて記憶している。
【００３８】
スイッチ制御部２３は、ポート２０にデータ（パケット）が入力したとき、ＭＡＣアドレステーブル２２を参照して、そのデータ（パケット）に含まれる送信先のＭＡＣアドレスに対応付けられている番号を特定し、この番号のポート２０からデータ（パケット）を出力させる制御をする。
【００３９】
Ｌ２スイッチＬＳには、第１のＶＬＡＮと第２のＶＬＡＮとが設定されている。このため、スイッチ制御部２３は、第１のＶＬＡＮによって仮想的に接続されている機器（センサ装置ＳＵ、管理サーバ装置ＳＶ、固定端末装置ＳＰ、構内交換機ＣＸ、アクセスポイントＡＰ）について、これらの機器どうしの通信を可能とする制御をし、第２のＶＬＡＮによって仮想的に接続されている機器（パソコンＰＣ１、サーバＳＶ１、構内交換機ＣＸ）について、これらの機器どうしの通信を可能とする制御をし、第１のＶＬＡＮによって仮想的に接続されている機器と、第２のＶＬＡＮによって仮想的に接続されている機器とは通信できない制御をする。
【００４０】
Ｌ２スイッチＬＳに優先制御の設定がされていないとき、スイッチ制御部２３は、ＦＩＦＯ処理をする。すなわち、スイッチ制御部２３は、キュー２１に記憶されているデータ（パケット）に対して、データ（パケット）がポート２０に入力した順番で、データ（パケット）をポート２０から出力させる制御をする。
【００４１】
Ｌ２スイッチＬＳに優先制御の設定がされている状態下、第１のＶＬＡＮを通るデータと第２のＶＬＡＮを通るデータとが、Ｌ２スイッチＬＳに入力したとき、Ｌ２スイッチＬＳは、優先度が高いデータ（パケット）を出力した後、優先度が低いデータ（パケット）を出力する。詳しく説明する。第１のＶＬＡＮの通信に優先制御の設定がされている状態下、第１のＶＬＡＮを通るデータと第２のＶＬＡＮを通るデータとが、ポート２０に入力したとき、スイッチ制御部２３は、キュー２１に記憶されているデータ（パケット）のうち、第１のＶＬＡＮを通るデータをポート２０から出力させる制御をした後、第２のＶＬＡＮを通るデータをポート２０から出力させる制御をする。第２のＶＬＡＮの通信に優先制御の設定がされている状態下、第１のＶＬＡＮを通るデータと第２のＶＬＡＮを通るデータとが、ポート２０に入力したとき、スイッチ制御部２３は、キュー２１に記憶されているデータ（パケット）のうち、第２のＶＬＡＮを通るデータをポート２０から出力させる制御をした後、第１のＶＬＡＮを通るデータをポート２０から出力させる制御をする。優先制御は、以上説明した絶対優先に限らず、他の方式（例えば、重み付きラウンドロビン（ＷＲＲ：Ｗｅｉｇｈｔｅｄ  Ｒｏｕｎｄ  Ｒｏｂｉｎ）でもよい。
【００４２】
上述したように、Ｌ２スイッチＬＳ（通信制御装置）において、第２のＶＬＡＮの通信に優先制御が設定されているとき、別のシステムＡＳの通信が被監視者監視支援システムＭＳの通信よりも優先される。しかし、被監視者監視支援システムＭＳの通信にも即時性が必要とされることがある（例えば、ナースコール、転倒の報知）。そこで、Ｌ２スイッチＬＳは、第２のＶＬＡＮの通信に優先制御が設定されている場合であっても、一定条件の下で、第１のＶＬＡＮの通信を第２のＶＬＡＮの通信よりも優先させる。これについて説明する。
【００４３】
第１のＶＬＡＮで通信されるデータの種類は、第１の種類と第２の種類とに予め分けられている。第１のＶＬＡＮには被監視者監視支援システムＭＳが割り当てられている。このため、第１のＶＬＡＮで通信されるデータは、被監視者監視支援システムＭＳが通信するデータである。第１のＶＬＡＮで通信されるデータの種類は、このデータを構成する各パケットのヘッダに示されている。
【００４４】
第１の種類のデータは、第１のＶＬＡＮの通信を優先させると、第２のＶＬＡＮの通信に大きな支障が生じる程度のサイズを有するデータである。第１の種類のデータは、例えば、センサ装置ＳＵが被監視者Ｏｂに所定のイベント（例えば、転倒）が発生したこと検知するために、センサ装置ＳＵが撮影した被監視者Ｏｂの動画である。センサ装置ＳＵは、撮影した動画を管理サーバ装置ＳＶに送信し、管理サーバ装置ＳＶは、動画を保存する。動画は、被監視者Ｏｂの状態を後で確認する場合に用いられる（例えば、被監視者Ｏｂが虐待されているか否かの確認）。
【００４５】
第２の種類のデータは、第１のＶＬＡＮの通信を優先させても、第２のＶＬＡＮの通信に大きな支障が生じない程度のサイズを有するデータである。第２の種類のデータは、例えば、ナースコールをした被監視者Ｏｂの氏名および居室番号を示すテキスト、センサ装置ＳＵが被監視者Ｏｂの転倒を検知したとき、転倒した被監視者Ｏｂの氏名および居室番号を示すテキストである。前者のテキストは、ナースコール子機（不図示）からナースコール親機（不図示）に送られる。そして、前者のテキストは、第１のＶＬＡＮを用いて、ナースコール親機から管理サーバ装置ＳＶを経由し、各携帯端末装置ＴＡに送られる。
【００４６】
図４は、第２のＶＬＡＮの通信に優先制御が設定されている場合に、Ｌ２スイッチＬＳの動作を説明するフローチャートである。図１、図３および図４を参照して、Ｌ２スイッチＬＳに、第１のＶＬＡＮで通信されるデータと第２のＶＬＡＮで通信されるデータとが入力する（ステップＳ１）。スイッチ制御部２３は、第１のＶＬＡＮで通信されるデータの種類が第１の種類か第２の種類かを判断する（ステップＳ２）。データの種類は、パケットヘッダに示されている。
【００４７】
スイッチ制御部２３は、第１のＶＬＡＮで通信されるデータの種類が第１の種類と判断したとき、第２のＶＬＡＮで通信されるデータを先に出力させる制御をし、そして、第１のＶＬＡＮで通信されるデータを出力させる制御をする（ステップＳ３）。
【００４８】
スイッチ制御部２３は、第１のＶＬＡＮで通信されるデータの種類が第２の種類と判断したとき、第１のＶＬＡＮで通信されるデータを先に出力させる制御をし、そして、第２のＶＬＡＮで通信されるデータを出力させる制御をする（ステップＳ４）。
【００４９】
（実施形態の纏め）
実施形態に係る通信ネットワークは、複数の被監視者のそれぞれに割り当てられ、割り当てられた被監視者について、所定のイベントが発生したことを検知する複数のセンサ装置と、複数の監視者がそれぞれ携行する複数の端末装置と、前記複数のセンサ装置および前記複数の端末装置と通信可能なサーバ装置と、を備える被監視者監視支援システムの通信に使用される通信ネットワークであって、ＶＬＡＮの設定が可能な通信制御装置と、前記通信制御装置によって設定された、前記被監視者監視支援システムの通信に割り当てられた第１のＶＬＡＮと、前記通信制御装置によって設定された、前記被監視者監視支援システムと別のシステムの通信に割り当てられた第２のＶＬＡＮと、を備え、前記通信制御装置は、前記第１のＶＬＡＮと前記第２のＶＬＡＮとにおいて、一方が他方よりも通信を優先させる設定が可能である。
【００５０】
一方が他方よりも通信を優先させるとは、第１のＶＬＡＮの通信を第２のＶＬＡＮの通信よりも優先させ、または、第２のＶＬＡＮの通信を第１のＶＬＡＮの通信よりも優先させることである。第１のＶＬＡＮの通信を優先させることにより、被監視者監視システムの通信を優先させることができる。第２のＶＬＡＮの通信を優先させることにより、別のシステムの通信を優先させることができる。
【００５１】
通信制御部は、第１のＶＬＡＮと第２のＶＬＡＮとにおいて、一方が他方よりも通信を優先させる設定が可能である。ユーザは、通信の即時性、データ量等を考慮し、一方を他方よりも通信を優先させることを、通信制御部に設定することができる。従って、実施形態に係る通信ネットワークによれば、被監視者監視支援システムの通信に割り当てられたＶＬＡＮと、このシステムとは別のシステムに割り当てられたＶＬＡＮとを適切に運用することができる。
【００５２】
上記構成において、前記通信制御装置は、前記第２のＶＬＡＮの通信を前記第１のＶＬＡＮの通信よりも優先させる設定の状態で、前記第１のＶＬＡＮで通信されるデータの種類が予め定められた第１の種類のとき、前記第２のＶＬＡＮの通信を前記第１のＶＬＡＮの通信よりも優先させ、前記第１のＶＬＡＮで通信されるデータの種類が前記第１の種類よりもデータ量が少ない予め定められた第２の種類のとき、前記第１のＶＬＡＮの通信を前記第２のＶＬＡＮの通信よりも優先させる。
【００５３】
第１の種類のデータは、第１のＶＬＡＮの通信を優先させると、第２のＶＬＡＮの通信に大きな支障が生じる程度のサイズを有するデータである（例えば、動画）。第２の種類のデータは、第１のＶＬＡＮの通信を優先させても、第２のＶＬＡＮの通信に大きな支障が生じない程度のサイズを有するデータである（例えば、短いテキスト）。
【００５４】
通信制御装置は、第２のＶＬＡＮの通信を第１のＶＬＡＮの通信よりも優先させる設定の状態下、第１のＶＬＡＮで通信されるデータの種類が第１の種類のとき、原則どおり、第２のＶＬＡＮの通信を第１のＶＬＡＮの通信よりも優先させる。これに対して、通信制御装置は、上記設定の状態下、第１のＶＬＡＮで通信されるデータの種類が第２の種類のとき、例外として、第１のＶＬＡＮの通信を第２のＶＬＡＮの通信よりも優先させる。この構成は、第２の種類のデータが、即時性を有する場合に有効である（例えば、ナースコールをした被監視者の氏名および居室番号を示すテキスト）。
【００５５】
上記構成において、前記複数のセンサ装置は、それぞれ、割り当てられた前記被監視者の動画を撮影し、前記動画を基にして、割り当てられた前記被監視者が転倒したことを検知し、転倒を検知された前記被監視者の氏名および居室番号を示すテキストは、前記第１のＶＬＡＮを用いて、転倒を検知した前記センサ装置から前記サーバ装置を経由して前記複数の端末装置に送られ、前記複数のセンサ装置がそれぞれ撮影した前記動画は、前記第１のＶＬＡＮを用いて、前記サーバ装置に送られ、前記第１の種類のデータは、前記複数のセンサ装置がそれぞれ撮影した前記動画を含み、前記第２の種類のデータは、転倒を検知された前記被監視者の氏名および居室番号を示すテキストを含む。
【００５６】
転倒を検知された被監視者の氏名および居室番号を示すテキストは、転倒を検知したセンサ装置からサーバ装置を経由して複数の端末装置に送られる。これにより、各監視者は、被監視者が転倒したことを知ることができる。複数のセンサ装置がそれぞれ撮影した動画は、サーバ装置に送られ、サーバ装置で保存される。これらの動画は、被監視者の状態を後で確認する場合に用いられる（例えば、被監視者が虐待されているか否かの確認）。
【００５７】
転倒を検知された被監視者の氏名および居室番号を示すテキストは、即時性を有する。これに対して、複数のセンサ装置がそれぞれ撮影した動画は、即時性を有さない。この構成は、テキストを第２の種類のデータとし、動画を第１の種類のデータとする。この構成によれば、第２のＶＬＡＮの通信を第１のＶＬＡＮの通信よりも優先させる設定の状態下であっても、第２のＶＬＡＮの通信に大きな支障が生じることなく、転倒を検知された被監視者の氏名および居室番号を示すテキストの通信を優先させることができる。
【００５８】
本発明の実施形態が詳細に図示され、かつ、説明されたが、それは単なる図例及び実例であって限定ではない。本発明の範囲は、添付されたクレームの文言によって解釈されるべきである。
【００５９】
２０１８年８月１０日に提出された日本国特許出願特願２０１８−１５１３４９は、その全体の開示が、その全体において参照によりここに組み込まれる。
【産業上の利用可能性】
【００６０】
本発明によれば、通信ネットワークを提供することができる。
【図１】
2020031658.tif 000003
【図２】
2020031658.tif 000004
【図３】
2020031658.tif 000005
【図４】
2020031658.tif 000006
【国際調査報告】
2020031658.tif 000007
2020031658.tif 000008
2020031658.tif 000009
2020031658.tif 000010